(57)【要約】 【課題】  本発明は、イメージデータを表示画面より高い解像度で作成し、また、表示器１画面分よりも長い期間のデータを、再現の容易なイメージデータとして保存する保存機能付き測定器を提供する。【解決手段】  データを保存する機能を有する保存機能付き測定器において、取り込まれた被測定対象のデータを保存処理部のメモリ空間に格納し、この保存処理部のメモリ空間に格納されたデータを、管理領域を備えた１つのファイルとして保存する。【選択図】                    図１
2006177694.tif 000002
【特許請求の範囲】
【請求項１】
データを保存する機能を有する保存機能付き測定器において、
取り込まれた被測定対象のデータを保存処理部のメモリ空間に格納し、
この保存処理部のメモリ空間に格納されたデータを、管理領域を備えた１つのファイルとして保存することを特徴とするデータ保存機能付き測定器のデータ保存方法。
【請求項２】
データを保存する機能を有する保存機能付き測定器において、
取り込まれた被測定対象のデータを保存処理部のメモリ空間に格納し、
この保存処理部のメモリ空間に格納されたデータを、表示画像の単位ごとに連続したイメージデータ形式のファイルとし、管理領域を備えた１つのファイルとして保存することを特徴とするデータ保存機能付き測定器のデータ保存方法。
【請求項３】
取り込んだデータを保存する機能を有する保存機能付き測定器において、
データ処理された被測定対象のデータを格納するメモリ空間と、
前記メモリ空間に格納されたデータを、管理領域を持つイメージファイル形式とする信号処理部と、
この信号処理部により形成されたイメージファイルを保存する記録部と、
を備えることを特徴とするデータ保存機能付き測定器。
【請求項４】
取り込んだデータを保存する機能を有する保存機能付き測定器において、
データ処理された被測定対象のデータを格納する第１のメモリ空間と、
データ処理された被測定対象のデータを格納する第２のメモリ空間と、
前記第１および第２のメモリ空間に格納されたデータを、管理領域を持つイメージファイル形式とする信号処理部と、
この信号処理部により形成されたイメージファイルを保存する記録部と、
を備えることを特徴とするデータ保存機能付き測定器。
【請求項５】
一方のメモリ空間に格納されたデータを処理中に、引き続き他の一方のメモリ空間に被測定対象のデータを格納することを特徴とする請求項４に記載のデータ保存機能付き測定器。
【請求項６】
被測定対象のデータを展開するメモリ空間は、表示部の解像度より高い解像度であることを特徴とする請求項１乃至５記載のデータ保存機能付き測定器。
【請求項７】
被測定対象のデータは、時系列に連続するデータであることを特徴とする請求項１乃至６記載のデータ保存機能付き測定器。
【請求項８】
管理領域は、画像の大きさ、ページ数、マーク位置の情報を含むことを特徴とする請求項１乃至７記載のデータ保存機能付き測定器。
【請求項９】
管理領域を持つファイルはＰＤＦ形式であることを特徴とする請求項１乃至５記載のデータ保存機能付き測定器。
【発明の詳細な説明】
【技術分野】
【０００１】
本発明は、デジタルオシロスコープに代表されるデータ保存機能を備えた測定器において、画像データを保存する機能の改善に関するものである。
【背景技術】
【０００２】
一般的にデジタルオシロスコープに代表される測定器は、画面に表示された波形を内蔵されたプリンタによって印字したり、同じく内蔵された記憶手段により保存することが可能である。
【０００３】
【特許文献１】特願平１１−３３７５８６号公報
【０００４】
特許文献１には、一般的なデジタルオシロスコープの構成が説明されている。図６は特許文献１の従来のデジタルオシロスコープの構成図であり、メモリ１１０には図示を省略した被測定対象のアナログ信号をＡ／Ｄ変換して得られたサンプリングデータが格納されている。
【０００５】
データ処理装置１２０はメモリ１１０に格納されたサンプリングデータについてＰ−Ｐ圧縮処理等必要なデータ処理を施し、処理されたデータを表示メモリ１４０に格納する。表示コントロール装置１３０は表示メモリ１４０に格納されたデータを読み出して表示装置１５０に表示している。
【０００６】
また、データ処理装置１２０には測定レンジの設定や表示波形の切替えなどの各種操作を行うための操作キー１７０が接続され、更に表示メモリ１４０の内容を印字するためプリンタ装置１６０が接続されている。
【０００７】
このような構成のデジタルオシロスコープにおいて、測定者は被測定対象の波形を表示装置に表示された波形によって監視することが可能である。また表示メモリ１４０に格納された表示用データをプリンタ装置１６０によって印字することにより、表示装置１５０に表示された画面のリアルタイムプリントを実施することが可能である。
【０００８】
同様に、表示用データを記録装置に保存する事により、測定完了後に波形を再現して検証することが可能である。
【０００９】
次に、従来技術によるデータ保存機能付き測定器の構成を図７を参照して説明する。図７で、メモリ１０は図示を省略した被測定対象のアナログ信号をＡ／Ｄ変換して得られたサンプリングデータが格納される。制御部２０の制御器２０Ａは、表示処理部２０Ｂ、記録処理部２０Ｃ、保存処理部２０Ｄを制御する。
【００１０】
表示部３０は、制御部２０の制御器２０Ａによりメモリ１０から読み出され、表示処理部２０Ｂで表示用データとされたデータをディスプレイ等に表示する。印刷部４０は、制御部２０の制御器２０Ａによりメモリ１０から読み出され、記録処理部２０Ｃで印刷用データとされたデータを紙などに印刷する。
【００１１】
記録部５０は、制御部２０の制御器２０Ａによりメモリ１０から読み出され、保存処理部２０Ｄで保存用データとされたデータを電子メディア等に保存する。保存用データとしては、数値データやビットマップなどのイメージデータがある。
【００１２】
イメージデータの場合、一般的なビューワソフトウェアを使用して、容易に画像を確認することができる。イメージデータを取得する動作を図８を参照して説明する。まず、メモリ１０に格納されたデータは、制御器２０Ａの指示により、表示処理部２０Ｂで表示用データとされ、表示部３０に表示される。
【００１３】
次に、制御器２０Ａは表示部３０に表示された画面の表示イメージを、例えばビットマップデータのようなイメージデータとして取得する。取得されたイメージデータは制御器２０Ａにより記録処理部２０Ｃや保存処理部２０Ｄに送られる。
【発明の開示】
【発明が解決しようとする課題】
【００１４】
従来の保存機能付き測定器では、電子メディアに保存されるイメージデータは、表示器１画面分のデータが１つのファイルとして構成される。
【００１５】
しかし、従来のイメージデータは、元データがディスプレイ等表示器から得るビットマップデータであり、これをファイルとした場合、その分解能は表示器の解像度を超えることができない。
【００１６】
また、表示画面からイメージデータを取得するため、例えば測定を続けながら１画面を超えるような連続データを保存する場合、紙に連続して記録するか、数値データとして保存し、記録メディアに連続して書き込む等の手段があるが、紙に連続して記録する場合は、データの保存性に問題があり、数値データとして保存する場合、数値データを波形イメージに変換するため、専用のソフトウェアが必要等の問題がある。
【００１７】
本発明は、イメージデータを表示画面より高い解像度で作成し、また、表示器１画面分よりも長い期間のデータを、再現の容易なイメージデータとして保存する保存機能付き測定器を提供することを目的とする。
【課題を解決するための手段】
【００１８】
このような課題を達成するために、請求項1に記載の発明は、データを保存する機能を有する保存機能付き測定器において、取り込まれた被測定対象のデータを保存処理部のメモリ空間に格納し、この保存処理部のメモリ空間に格納されたデータを、管理領域を備えた１つのファイルとして保存することを特徴とする。
【００１９】
請求項２に記載の発明は、データを保存する機能を有する保存機能付き測定器において、取り込まれた被測定対象のデータを保存処理部のメモリ空間に格納し、この保存処理部のメモリ空間に格納されたデータを、表示画像の単位ごとに連続したイメージデータ形式のファイルとし、管理領域を備えた１つのファイルとして保存することを特徴とする。
【００２０】
請求項３に記載の発明は、取り込んだデータを保存する機能を有する保存機能付き測定器において、データ処理された被測定対象のデータを格納するメモリ空間と、前記メモリ空間に格納されたデータを、管理領域を持つイメージファイル形式とする信号処理部と、この信号処理部により形成されたイメージファイルを保存する記録部と、を備えることを特徴とする。
【００２１】
請求項４に記載の発明は、取り込んだデータを保存する機能を有する保存機能付き測定器において、データ処理された被測定対象のデータを格納する第１のメモリ空間と、データ処理された被測定対象のデータを格納する第２のメモリ空間と、前記第１および第２のメモリ空間に格納されたデータを、管理領域を持つイメージファイル形式とする信号処理部と、この信号処理部により形成されたイメージファイルを保存する記録部と、を備えることを特徴とする。
【００２２】
請求項５に記載の発明は、請求項４に記載の発明において、一方のメモリ空間に格納されたデータを処理中に、引き続き他の一方のメモリ空間に被測定対象のデータを格納することを特徴とする。
【００２３】
請求項６に記載の発明は、請求項１乃至５記載の発明において、被測定対象のデータを展開するメモリ空間は、表示部の解像度より高い解像度であることを特徴とする。
【００２４】
請求項７に記載の発明は、請求項１乃至６に記載の発明において、被測定対象のデータは、時系列に連続するデータであることを特徴とする。
【００２５】
請求項８に記載の発明は、請求項１乃至７記載の発明において、管理領域は、画像の大きさ、ページ数、マーク位置の情報を含むことを特徴とする。
【００２６】
請求項９に記載の発明は、請求項１乃至７記載の発明において、管理領域を持つファイルはＰＤＦ形式であることを特徴とする。
【発明の効果】
【００２７】
この発明によれば、測定器の持つ表示器の一画面の範囲を超えるような連続データを、数値データではなく波形イメージデータとして、一つのファイルに保存するので、連続データの確認など、測定後のデータ表示、確認が容易であり、利便性が向上する。
【００２８】
また、ファイルに保存されるデータは表示用画像よりも解像度の高いドット数でメモリ空間に展開されたデータであるので、より細部のデータを確認することができる。
【００２９】
さらにそのファイル形式を、複数画像が含まれたファイルを扱う市販のＰＣソフトウェアの形式に合わせれば、例えば「複数ページの情報をページごとに並べて表示する」ことができる。すなわち、従来、連続データはチャート紙に記録して保存していたが、連続データを１つのファイル形式として電子化し、保存することができる。
【発明を実施するための最良の形態】
【００３０】
以下、本発明による保存機能付き測定器および保存方法を説明する。図１は本発明の一実施例を示す構成図であり、図７にある記憶処理部および印刷部については、図示を省略している。また、図７と同一のものについては同一の符号をつけ、説明を省略する。
【００３１】
図１で、制御部１の制御器１Ａから読み出されたメモリ１０のデータは、保存処理部１Ｃのメモリ空間１１に展開される。メモリ空間１１に展開されるデータの解像度は、表示部４０に表示するのに必要な解像度よりも高くする。例えば、表示部４０の解像度が横８００ドット、縦６００ドットの場合、メモリ空間１１における解像度は横２４００ドット、縦８００ドットなど、任意に設定したドット数とする。
【００３２】
メモリ空間１１へのイメージデータ展開の形式としては、例えばビットマップやベクタデータの並び、ページ記述言語、ＸＭＬ形式等がある。メモリ空間１１に展開されたイメージデータは、信号処理部１２により保存用のイメージファイル形式に処理され、記録部５０に保存される。
【００３３】
次に、図１の保存処理部１Ｃの状態を図２を参照して説明する。図２（ア）はメモリ１０に格納されている波形データの例であり、表示画面３画面分の連続データが格納されている例である。図２（ア）のようなデータは、図１の表示処理部１Ｂでは１画面ずつ取り込まれて処理され、表示される。
【００３４】
保存処理部１Ｃでは３画面分のデータがメモリ空間１１に展開される。メモリ空間１１に展開されたデータは、信号処理部１２で保存用のデータ形式とされ、記録部５０にイメージファイルとして保存される。
【００３５】
図２（イ）は、信号処理部１２により処理された保存用のイメージファイルのデータ形式の例であり、画面１から画面３の連続した波形データは、管理領域を持つ１つのファイル形式に処理される。
【００３６】
図３は図２（イ）のさらに具体的な状態説明図であり、管理領域には、画面データの大きさ、最大ページ数等の情報が管理されている状態を示している。
【００３７】
図４は本発明による他の実施例を示す構成図であり、保存処理部２Ｃはメモリ空間部２１にメモリ空間部２１Ａ、２１Ｂを備えている。図４で、表示部４０に低速でサンプリングしたデータをロール表示させると、表示部４０の表示画面上では、時間の経過とともに波形が画面上を流れる。表示部４０の表示画面より長い時間表示を継続すると、古いデータから順次押し出され、古いデータは目視できなくなる。
【００３８】
メモリ空間部２１では、メモリ１０のデータは制御部２Ａから第１のメモリ空間２１Ａに対して展開される。展開されるデータが第１のメモリ空間２１Ａの容量を超える時、制御部２Ａは第２のメモリ空間２１Ｂに切り替えて、引き続きメモリ１０のデータを展開していく。
【００３９】
ここで、第１のメモリ空間２１Ａに展開されたデータは、信号処理部２２でイメージファイル形式とし、第２のメモリ空間２１Ｂに展開されたデータは、このイメージファイルに追加されていく。
【００４０】
以下、データを展開するメモリ空間を切り替えるとともに、データの展開が完了しているメモリ空間のデータを信号処理部でイメージファイル形式とし、データの展開が完了するまでこれを繰り返す。図４ではメモリ空間は２つの場合について説明したが、必要に応じて、さらにメモリ空間を設けても良い。
【００４１】
図５は図３と同様に信号処理部２２で処理され、記録部５０に保存されるイメージファイルの例である。連続測定中には、測定値があらかじめ設定してあるアラーム範囲を超えるような場合や、或いはユーザが任意の場所にイベントマークを入れることが可能である。
【００４２】
このようなマークの位置は、長期間の測定データから特に注目されるので、容易に検索できることが望まれる。図５のイメージファイルは、何枚にもわたった画像データの集まりであり、このデータに「マーカ」或いは「しおり」を測定中に同時に、或いは測定後にＰＣで解析している際に任意の位置に付け、所望の位置を容易に探し出すことを可能とする。
【００４３】
ＰＣ用の市販の画像ビューワには、複数ページに渡るデータにこのような「しおり」を補助情報として用いるものもあり、その形式に合わせて「しおり」を付ける。
【図面の簡単な説明】
【００４４】
【図１】本発明の一実施例の構成図である。
【図２】図１の保存処理部１Ｃの状態図である。
【図３】図２（イ）のさらに具体的な状態説明図である。
【図４】本発明による他の実施例を示す構成図である。
【図５】記録部５０に保存されるイメージファイルの例である。
【図６】従来のデジタルオシロスコープの構成図である。
【図７】従来技術によるデータ保存機能付き測定器の構成図である。
【符号の説明】
【００４５】
１              制御部
１Ａ、２Ａ      制御器
１Ｂ、２Ｂ      表示処理部
１Ｃ            保存処理部
１１            メモリ空間
１２            信号処理部
２１            メモリ空間部
２１Ａ、２１Ｂ  メモリ空間
２２            信号処理部
４０            表示部
５０            記録部
１０、２０      表示処理回路
３０            表示処理部
４０            記録処理部
【図１】
2006177694.tif 000003
【図２】
2006177694.tif 000004
【図３】
2006177694.tif 000005
【図４】
2006177694.tif 000006
【図５】
2006177694.tif 000007
【図６】
2006177694.tif 000008
【図７】
2006177694.tif 000009